(57)【特許請求の範囲】
【請求項１】
正転再生又は反転再生が可能なように第１，第２のキャプスタン及び第１，第２のフライホイールを備えたテープレコーダであって、
磁気テープ巻き取り用の第１のリール，第２のリールと同軸にそれぞれ設けられたリールギアを回転させるべく設けられたギア機構と、
前記ギア機構にモータの回転を伝えると共に前記第２のキャプスタン及び第２のフライホイールと同軸に設けられたギアと噛合する中継ギアプーリと、
モータの回転を前記第２のフライホイール及び前記中継ギアプーリに伝達する第１のベルトと、
前記第２のフライホイール及び中継ギアプーリの回転を第１のキャプスタンと同軸の第１のフライホイールに伝達する第２のベルトとを備え、、
前記モータの正転又は反転の回転を、前記第１のベルトと中継ギアプーリ及びギア機構を介して第１のリール又は第２のリールに伝達し、正・反転再生及び正・反転高速回転に対応して、前記第１のリール又は第２のリールを回転させるように構成したことを特徴とするテープレコーダ。
【発明の詳細な説明】
【０００１】
【産業上の利用分野】
本発明は、テープレコーダに係り、特にテープレコーダの回転伝達を効率良く行えるテープレコーダに関するものである。
【０００２】
【従来の技術】
近年、テープレコーダにあっては省電力化の要望は著しいものがあり、様々な改良が加えられてきている。ところで、テープレコーダにおける従来の回転伝達機構は、例えば図２１に示すように、モータ３１の回転をベルト３２を介してギアプーリ３３に伝達するに際し、複数（図２１に示す実施例では３つ）の第１，第２のフライホイール３４ａ，３４ｂ及びアイドルプーリ３４ｃを介在させてベルト３２に必要な張力を付与しているものが一般的である。
【０００３】
ところで、テープレコーダでは、早送りや巻き戻しの時にモータに作用する負荷が一番大きく、これにあわせてベルトの張力を設定しているが、図２１に示すような回転伝達機構では、モータの正逆回転による早送り時や巻き戻し時に、モータ３１からギアプーリ３３に伝達する際にベルトの張り側と緩み側の長さのバランスが異なるので、張り側が長い方の図２１でのモータ３１の反時計方向の回転での伝達力で前記必要な張力となるように設定している。例えば早送り時の伝達力が巻き戻し時の伝達力よりも小さい時には、早送り時の張力が前記必要な張力となるように設定するのである。
【０００４】
【発明が解決しようとする課題】
しかしながら、上記したようにしてベルトの張力を設定した場合には、張力の大きい方、例えば上記した例では巻き戻し時のベルトの張力が必要以上の大きさとなり、ベルトの回転負荷及びモータ３１，ギアプーリ３３，第１，第２のフライホイール３４ａ，３４ｂに加わる側圧が大きくなり、回転負荷が大きくなって回転伝達効率が悪くなるという問題がある。
【０００５】
本発明は、上記した従来の問題点に鑑みてなされたものであり、モータの回転をギアプーリに伝達するベルトの張力を必要最低限に抑えて回転効率の良いテープレコーダを提供することを目的としている。
【０００６】
【課題を解決するための手段】
上記した目的を達成するために、本発明のテープレコーダは、正転再生又は反転再生が可能なように第１，第２のキャプスタン及び第１，第２のフライホイールを備えたテープレコーダであって、磁気テープ巻き取り用の第１のリール，第２のリールと同軸にそれぞれ設けられたリールギアを回転させるべく設けられたギア機構と、前記ギア機構にモータの回転を伝えると共に前記第２のキャプスタン及び第２のフライホイールと同軸に設けられたギアと噛合する中継ギアプーリと、モータの回転を前記第２のフライホイール及び前記中継ギアプーリに伝達する第１のベルトと、前記第２のフライホイール及び中継ギアプーリの回転を第１のキャプスタンと同軸の第１のフライホイールに伝達する第２のベルトとを備え、前記モータの正転又は反転の回転を、前記第１のベルトと中継ギアプーリ及びギア機構を介して第１のリール又は第２のリールに伝達し、正・反転再生及び正・反転高速回転に対応して、前記第１のリール又は第２のリールを回転させるように構成したものである。
【０００７】
【作用】
本発明のテープレコーダは、モータの正逆回転による早送り時や巻き戻し時にも、モータの回転を第１のベルトのみを介し、更に中継ギアプーリ及びギア機構を介してリールを駆動するので、ベルトの張り側と緩み側の長さが同じとなり、必要最低限の張力に設定し、ベルトの回転負荷が小さくなって回転伝達効率が良くることとなる。
【０００８】
【実施例】
以下、本発明のテープレコーダを図１〜図２０に示す実施例に基づいて説明する。
【０００９】
図１は本発明の一実施例におけるテープレコーダの要部の外観を示す平面図、図２は同テープカセットの背面から見た状態を示す磁気ヘッド部の正面図、図３は同裏面図、図４は同早送りレバーを規制した停止時の状態を示す略平面図、図５は同停止状態からモータを反転させて第１の制御レバーによる早送りレバーの規制を解除する動作状態を示す略平面図、図６は同解除する瞬間の状態を示す略平面図、図７は同解除後の状態を示す略平面図、図８は同巻き戻し時の状態を示す略平面図、図９は同早送り時の状態を示す略平面図、図１０は同停止時又は巻き戻し時の状態から正転再生時への移行時の状態を示す略平面図、図１１は同正転再生時の状態を示す略平面図、図１２は同反転再生時の状態を示す略平面図、図１３は主としてギア等の回転部品の状態を示すもので、早送りレバーの規制を解除後の停止状態を示す略平面図、図１４は同正転再生時の状態を示す略平面図、図１５は反転再生時の状態を示す略平面図、図１６は同早送り時の状態を示す略平面図、図１７は同巻き戻し時の状態を示す略平面図、図１８（ａ）は主としてピンチローラ，磁気ヘッド等の動作状態を示すもので、早送り時，巻き戻し時，停止時の状態を示す略平面図、（ｂ）は（ａ）図の制御ロッド，ピンチローラアーム制御軸等の動作状態を示す部分平面図、図１９（ａ）は同正転再生時の状態を示す略平面図、（ｂ）は（ａ）図の部分平面図、図２０（ａ）は同反転再生時の状態を示す略平面図、（ｂ）は（ａ）図の部分平面図である。
【００１０】
図面において、１ａは磁気テープＴを正転再生走行させる第１のキャプスタン、１ｂは前記第１のキャプスタン１ａと回転方向が異なる反転再生走行用の第２のキャプスタンであり、これら第１及び第２のキャプスタン１ａ，１ｂにはそれぞれ第１のフライホイール２ａと第２のフライホイール２ｂが一体的に回転すべく同軸に取り付けられている。
【００１１】
３は正転，反転のいずれにも回転可能なモータであり、このモータ３の回転は第１のベルト４ａを介して前記第２のフライホイール２ｂ及び第２のキャプスタン１ｂに伝達される。そして、この第２のフライホイール２ｂに伝えられた回転は、この第２のフライホイール２ｂと一体的に回転すべく同軸に取り付けられた大径ギア２ｂａに噛合する大径ギア５ａを設けた中継ギアプーリ５に伝達され、この中継ギアプーリ５から第２のベルト４ｂを介して前記第１のフライホイール２ａ及び第１のキャプスタン１ａに伝達され、第１のフライホイール２ａと第２のフライホイール２ｂを反対方向に回転させる。
【００１２】
６は磁気テープ巻き取り用の正転リール７ａ又は反転リール７ｂに前記モータ３の回転を伝達するギア機構であり、以下のような構成となされている。
【００１３】
６ａは前記大径ギア５ａに噛合する大径ギア６ａａと小径ギア６ａｂを同軸に取り付けた回転自在な第１の中継ギアで、この小径ギア６ａｂはメインギア６ｂに噛合している。このメインギア６ｂは、フリクションプーリ６ｃに圧入保持されたフリクションギア６ｄ（図１３〜１７参照）の軸部に回転自在に取り付けられ、例えば圧縮ばねによりフェルトを介して前記フリクションプーリ６ｃに圧接するように構成されている。
【００１４】
６ｅ（図１３〜１７参照）は前記フリクションギア６ｄに噛合するプレイギアであり、軸８を中心として回動するプレイレバー９に立設した軸９ａに回転自在に設けられている。このプレイギア６ｅは、プレイレバー９の前記回動によって、後述する正転リールギア６ｈ或いは反転リールギア６ｊにその回転力を伝達したり、またこれら両者に伝達しなかったりする。６ｆは回転自在に設けられたアイドルギアであり、前記プレイギア６ｅと噛合可能に構成されている。６ｇは回転自在に設けられた正転リール駆動ギアであり、前記アイドルギア６ｆの回転を正転リール７ａと同軸に設けられた正転リールギア６ｈに伝えるべく噛合している。６ｉは回転自在に設けられた反転リール駆動ギアであり、前記プレイギア６ｅと噛合可能に構成され、プレイギア６ｅとの噛合時、プレイギア６ｅの回転を反転リール７ｂと同軸に設けられた反転リールギア６ｊに伝えるよう反転リールギア６ｊに噛合している。
【００１５】
６ｋａは前記メインギア６ｂに噛合可能な第１の早送りギア、６ｋｂは前記正転リール駆動ギア６ｇ及び反転リール駆動ギア６ｉに噛合可能な第２の早送りギアであり、これらは同軸にかつ一体的に、圧縮ばねによって回転負荷を付与された状態で回転自在なように早送りレバー１０に取り付けられている。この早送りレバー１０には、第２の制御レバー１１の先端に設けた軸１１ａに係合する円弧状長孔１０ａと、軸１２に係合する円弧状長孔１０ｂが設けられ、図３，図４，図１３に示すように、第１の早送りギア６ｋａがメインギア６ｂに噛合した状態で前記軸１１ａ，１２に案内されて所定角度回動し、前記第２の早送りギア６ｋｂが正転リール駆動ギア６ｇ或いは反転リール駆動ギア６ｉに噛合したり、またこれら両者に噛合しなかったりするように構成されている（図８，９及び図１６，１７参照）。
【００１６】
１３は磁気テープＴの走行方向を切り換えるべく前記ギア機構６の噛合状態を変更するモード切り換え機構であり、以下のように構成されている。
【００１７】
１３ａは前記メインギア６ｂに噛合する大径ギア１３ａａ及びこれと同軸の小径ギア（図示省略）を一体となした第２の中継ギア、１３ｂはこの第２の中継ギア１３ａの小径ギア（図示省略）に噛合する大径ギア１３ｂａ及びこれと同軸の小径ギア１３ｂｂを一体となした第３の中継ギアで、この第３の中継ギア１３ｂの小径ギア１３ｂｂに噛合するようにカムギア１３ｃが設けられている。このカムギア１３ｃには、そのギア部に、第１，第２，第３の欠歯部１３ｃａ，１３ｃｂ，１３ｃｃが形成されるとともに、さらに表裏面側には溝状に形成された第１のカム１３ｃｄと第２のカム１３ｃｅを、また表面側の外周部に形成された第３カム１３ｃｆと第４のカム１３ｃｇを備えている。
【００１８】
１３ｄはソレノイドで、非通電状態では永久磁石（図示省略）により吸着片１３ｄａが吸着部１３ｄｂに吸着され、通電すると永久磁石による吸着片１３ｄａの吸着が解除されるようになっている。１３ｅはばね１３ｆによって吸着片１３ｄａを吸着部１３ｄｂから引き離す方向に付勢されたソレノイドアームであり、その一端に前記吸着片１３ｄａが取り付けられ、また他端の軸部１３ｅａ（図４参照）は前記第２のカム１３ｃｅに当接し案内されて係止するように構成されている。
【００１９】
１３ｇは軸１８に回動自在に設けられた切り換えレバーであり、一端のカム軸１３ｇａは前記第１のカム１３ｃｄに係合し、他端のレバー軸１３ｇｂは制御ロッド１３ｈに係合されている。この制御ロッド１３ｈには、図２及び図１８〜２０に示すように、第１，第２のピンチローラアーム制御軸１３ｈａ，１３ｈｂがそれぞれアーム１３ｈｅに保持された状態で取り付けられている。すなわち、アーム１３ｈｅは制御ロッド１３ｈに立設した軸１３ｈｆに回動自在に保持され、かつばね１３ｈｇにより第１，第２のピンチローラ１７ａ，１７ｂ側に付勢されており、その付勢力は突起１３ｈｈで規制されるようになっている。そして、これら第１，第２のピンチローラアーム制御軸１３ｈａ，１３ｈｂは、ホルダー本体１５に、軸１６ａａ，１６ｂａを支点として回動自在に取り付けられた第１，第２のピンチローラアーム１６ａ，１６ｂに形成された制御部１６ａｂ，１６ｂｂに当接し、これら第１，第２のピンチローラアーム１６ａ，１６ｂに取り付けられた第１，第２のピンチローラ１７ａ，１７ｂを前記第１，第２のキャプスタン１ａ，１ｂに圧接及び離間させるように制御する。
【００２０】
本実施例では、これら第１，第２のピンチローラアーム１６ａ，１６ｂをどちら側の回動方向にも付勢せずに回転自在となすとともに、再生及び録音時のみ第１又は第２のピンチローラ１７ａ又は１７ｂが第１又は第２のキャプスタン１ａ又は１ｂに圧接し、早送り及び巻き戻し時には第１又は第２のピンチローラ１７ａ又は１７ｂが第１又は第２のキャプスタン１ａ又は１ｂと非圧接となるように構成している。なお、１４ａ，１４ｂはホルダー本体１５を回動自在に支持する第１，第２のホルダー支持台である。
【００２１】
１３ｉは軸１９を支点として回動自在な中継レバーであり、一端は前記制御ロッド１３ｈの軸１３ｈｃに係合され、他端に設けた軸１３ｉａは前記プレイレバー９に設けた長孔９ｂに係合されている。
【００２２】
２０は前記ホルダー本体１５に軸２０ａを支点として回動自在に取り付けたヘッドアームであり、その前面側中央部には磁気ヘッド２１が、また後面側には制御部２０ｂが設けられている。このヘッドアーム２０はばね２２によって常時は磁気テープＴから離反する方向に付勢されており、再生，録音時には前記制御ロッド１３ｈに立設したヘッドアーム制御軸１３ｈｄが前記制御部２０ｂを押し、ヘッドアーム２０をばね２２の付勢力に抗して磁気テープＴ側に押し出す。本実施例では、このヘッドアーム制御軸１３ｈｄを、図１８〜図２０の（ｂ）に示すように、樹脂ばねで構成し、磁気ヘッド２１が一定量以上磁気テープＴ側に入り込まないように反磁気テープＴ側に逃げるようにしたものを開示している。
【００２３】
２３は第１の制御レバーであり、基端が前記第３のカム１３ｃｆに係合し、この第３のカム１３ｃｆとの係合によって中央部を支点２３ａとして回動するものであって、その先端の軸部２３ｂに前記早送りレバー１０に設けた凹溝１０ｃが嵌合したり、また凹溝１０ｃが離脱したりすることで、早送りレバー１０の位置を規制したり、また位置を解除し、その解除によって早送り時と巻き戻し時とのモード変更時に第１の早送りギア６ｋａにメインギア６ｂの回転を伝達し、この第１の早送りギア６ｋａの早送りレバー１０に対する回転負荷で早送りレバー１０を移動させることにより第２の早送りギア６ｋｂの噛合位置を変えて正転リール駆動ギア６ｇ又は反転リール駆動ギア６ｉに噛合するようにしている。
【００２４】
また、前記第２の制御レバー１１は、第１の制御レバー２３と同じ回動支点２３ａを中心として回動可能であり、基端が前記第４のカム１３ｃｇに係合し、その先端に設けた軸１１ａの近傍にラックギア１１ｂを設けている。このラックギア１１ｂは、第２の制御レバー１１の軸１１ａに長孔１０ａが係合された早送りレバー１０の回動動作に応じて、第２の早送りギア６ｋｂに噛合するようになっている。そして、第２の制御レバー１１の基端が第４のカム１３ｃｇに係合して、軸１１ａ及びラックギア１１ｂがメインギア６ｂ側に振られた状態で、第１の早送りギア６ｋａがメインギア６ｂに噛合可能である。その噛合動作は、後述する早送りレバー１０の動きを第１の制御レバー２３の軸部２３ｂによって規制している停止状態からその早送りレバー１０の規制を解除する際と、規制を解除した後における早送り状態から巻き戻し状態への切り換え時と、その逆の切り換え時とにおいてそれぞれ行われるようになっている。このラックギア１１ｂに対する第２の早送りギア６ｋｂの添接噛合により、早送りレバー１０は当該早送りレバー１０に対する第１，第２の早送りギア６ｋａ，６ｋｂの回転負荷に関係なく、メインギア６ｂに噛合する第１の早送りギア６ｋａの回転力が早送りレバー１０に伝達されることとなる。なお、２５は第１の制御レバー２３及び第２の制御レバー１１の基端を、第３，第４のカム１３ｃｆ，１３ｃｇに摺接する方向に付勢するばねである。
【００２５】
本発明のテープレコーダは以上説明したように構成されており、以下、その動作について説明する。
【００２６】
先ず、各モードの動作を説明する前に、カムギア１３ｃの作用について説明する。このカムギア１３ｃは、各欠歯部１３ｃａ，１３ｃｂ，１３ｃｃが第３の中継ギア１３ｂの小径ギア１３ｂｂと対向している状態で各モードの保持状態であり、欠歯部１３ｃａが対向する状態が正転再生、欠歯部１３ｃｂが対向する状態が反転再生、欠歯部１３ｃｃが対向する状態が停止と早送り及び巻き戻し状態である。また、そのカムギア１３ｃの回転位置に対応して、各々のカム１３ｃｄ〜１３ｃｇも各モードに対応した働きをしている。第１のカム１３ｃｄは、切り換えレバー１３ｇの一端カム軸１３ｇａを制御するもので、各モードに応じて切り換えレバー１３ｇを介して制御ロッド１３ｈの位置を決定するものである。また、第２のカム１３ｃｅは、ソレノイド１３ｄの作用によりカムギア１３ｃにモード切り換えのトリガを与えるもので、通電により吸着片１３ｄａの吸着が解除されると、ソレノイドアーム１３ｅの先端の軸部１３ｅａが当該第２のカム１３ｃｅの傾斜部に当接し、この際、カムギア１３ｃはわずかに時計方向に回転してギア部が小径ギア１３ｂｂと噛み合う状態となり（図１０参照）、モータ３による第３の中継ギア１３ｂの回転によりカムギア１３ｃは次の欠歯部まで回転することになる。次に、第３のカム１３ｃｆは、第１の制御レバー２３の基端が係合され、モードに応じて当該第１の制御レバー２３の先端の軸部２３ｂの位置が制御される。更に、第４のカム１３ｃｇは、第２の制御レバー１１の基端が係合され、モードに応じて、早送りレバー１０すなわち第１，第２の早送りギア６ｋａ，６ｋｂのメインギア６ｂに対する位置を制御するものである。
【００２７】
〔停止時（図４，１８参照）〕
停止時は図４に示すように、第３の中継ギア１３ｂの小径ギア１３ｂｂの噛合位置に、カムギア１３ｃの第３の欠歯部１３ｃｃを位置させた状態である。この停止位置では、前記第１のカム１３ｃｄの作用によって切り換えレバー１３ｇを介して制御ロッド１３ｈは中立位置に位置して、図１８に示すように、第１，第２のピンチローラアーム制御軸１３ｈａ，１３ｈｂは第１，第２のピンチローラアーム１６ａ，１６ｂの制御部１６ａｂ，１６ｂｂを押さず、第１，第２のピンチローラ１７ａ，１７ｂは第１，第２のキャプスタン１ａ，１ｂと非接触状態となる。この時、中継レバー１３ｉ，プレイレバー９を介してプレイギア６ｅは反転リール駆動ギア６ｉ及びアイドルギア６ｆとの噛合が解除されている。また、ヘッドアーム制御軸１３ｈｄはヘッドアーム２０の制御部２０ｂの押圧が解除され（図１８参照）、磁気ヘッド２１を取り付けたヘッドアーム２０はばね２２の付勢力によって後退し、磁気ヘッド２１は磁気テープＴと浅く接触している。この図４の状態は、停止モードになった直後であり、モータ３の正転によりメインギア６ｂと噛合する第１の早送りギア６ｋａが回転状態にあっても、早送りレバー１０の凹溝１０ｃが第１の制御レバー２３の軸部２３ｂに嵌合しているため、早送りレバー１０の移動が規制されており、第２の早送りギア６ｋｂは反転リール駆動ギア６ｉに噛合することはなく、反転リール７ｂは回転せず、従ってこの停止時への移行時における磁気テープＴの独走を阻止することができる。
【００２８】
〔早送りレバー規制解除（図５〜７，図１３参照）〕
図４の停止状態は、早送りレバー１０の規制を解除することにより、カムギア１３ｃの状態を変えることなく、巻き戻し状態及び早送り状態に移行することができる。すなわち、前記停止規制状態からモータ３を反転方向に回転させることにより、図５〜７に示すように、先ずメインノア６ｂの反転によりこれと噛合している第１の早送りギア６ｋａが回転し、この第１の早送りギア６ｋａと早送りレバー１０との間の回転負荷により、早送りレバー１０は軸１１ａ，１２に案内されて時計方向へ回動し（図５の状態）、この回動により第２の早送りギア６ｋｂはラックギア１１ｂに噛合し、この両早送りギア６ｋａ，６ｋｂの回転力が回転負荷に無関係に早送りレバー１０に伝達されて当該早送りレバー１０を更に時計方向へ回動することとなる。これにより、第１の制御レバー２３の軸部２３ｂが早送りレバー１０の凹溝１０ｃから外れて早送りレバー１０の規制を解除することになるが、その解除の瞬間が図６であり、このとき第１の制御レバー２３の軸部２３ｂは凹溝１０ｃの端部に設けた凸部１０ｃａから外れ、図７に示す解除後の状態となるもので、図１３はこの図７に示す早送りレバー１０規制状態解除後の停止状態である。また、この停止状態における第１の制御レバー２３の基端は、第３のカム１３ｃｆの凹部に対向し、図４の規制状態及び図５，６の解除の瞬間までは非接触状態にあり、図６に示す解除によりばね２５の付勢力で当該第１の制御レバー２３は時計方向に回動して、その基端は第３のカム１３ｃｆに当接し、図７に示す係合状態となる。
【００２９】
〔巻き戻し時（図８，１７，１８参照）〕
前記図７，１３の規制解除の状態から、モータ３を正転駆動させることにより、メインギア６ｂは反時計方向に回転する。この時、第２の制御レバー１１は第４のカム１３ｃｇに係合して軸１１ａにより早送りレバー１０をメインギア６ｂ方向に振っており、第１の早送りギア６ｋａとメインギア６ｂは噛合状態にある。この第１の早送りギア６ｋａとメインギア６ｂの噛合により、第２の早送りギア６ｋｂを反転リール駆動ギア６ｉに噛合させ、反転リールギア６ｊを介して反転リール７ｂを高速で回転させ、巻き戻しを行う。この巻き戻し時には、第１，第２のピンチローラ１７ａ，１７ｂは第１，第２のキャプスタン１ａ，１ｂと非接触状態であり、磁気ヘッド２１を取り付けたヘッドアーム２０はばね２２の付勢力によって磁気テープＴとは浅く接触していることは停止時と同様である。
【００３０】
〔早送り時（図９，１６，１８参照）〕
前記巻き戻し状態又は図７，１３の状態からモータ３を反転方向に回転させることにより、メインギア６ｂは時計方向に回転し、第１の早送りギア６ｋａとメインギア６ｂの噛合により、早送りレバー１０を時計方向に回動する。この早送りレバー１０の回動途中において、第２の早送りギア６ｋｂはラックギア１１ｂと噛合し、その添接駆動により早送りレバー１０は拘束に移動することになり、図９，１６に示すように、第２の早送りギア６ｋｂを正転リール駆動ギア６ｇに噛合させ、正転リールギア６ｈを介して正転リール７ａを高速で回転させ、早送りを行う。この早送り時にも、第１，第２のピンチローラ１７ａ，１７ｂは第１，第２のキャプスタン１ａ，１ｂと非接触状態であり、磁気ヘッド２１を取り付けたヘッドアーム２０はばね２２の付勢力によって磁気テープＴとは浅く接触していることは停止時と同様である。
【００３１】
〔正転再生時（図１１，１４，１９参照）〕
以上の停止，巻き戻し，早送りの各状態においてはカムギア１３ｃの欠歯部１３ｃｃが第３の中継ギア１３ｂの小径ギア１３ｂｂに対向した状態であるが、この状態からソレノイド１３ｄに通電して永久磁石による吸着片１３ｄａの吸着を解除することにより、ソレノイドアーム１３ｅの軸部１３ｅａの第２のカム１３ｃｅへの作用によってカムギア１３ｃをわずかに時計方向に回転させる。その状態が図１０であり、この時カムギア１３ｃは小径ギア１３ｂｂと噛合する状態となっており、モータ３を正転方向に回転させることによりメインギア６ｂの反時計方向の回転力を第２，第３の中継ギア１３ａ，１３ｂを介して伝達し、カムギア１３ｃを時計方向に回転させることができる。この状態からモータ３を更に正転方向に回転させ、第３の中継ギア１３ｂの小径ギア１３ｂｂの噛合位置に、カムギア１３ｃの第１の欠歯部１３ｃａを停止させた状態が図１１，１４に示す正転再生状態である。この正転再生への移行時、第２の制御レバー１１は第４のカム１３ｃｇの作用で、図１０の状態から一旦反時計方向に回動し、第１の早送りギア６ｋａがメインギア６ｂと噛合することにより早送りレバー１０を反時計方向に回動すると共に、第３のカム１３ｃｆの作用で第１の制御レバー２３が反時計方向に回動するので、その先端軸部２３ｂが早送りレバー１０の凹溝１０ｃに嵌入してゆき、早送りレバー１０を規制しつつ図１１，１４に示す正転再生状態となる。この時、第２の制御レバー１１は第４のカム１３ｃｇの作用により、早送りレバー１０を第１の早送りギア６ｋａがメインギア６ｂより離脱する方向に振っており、メインギア６ｂの回転は第１，第２の早送りギア６ｋａ，６ｋｂに伝達されず、その回転負荷もモータ３の回転力の負荷になることもない。この正転再生位置では、前記第１のカム１３ｃｄの作用によって切り換えレバー１３ｇを介して制御ロッド１３ｈが停止時の中立位置から第１のキャプスタン１ａ側に移動して、図１９に示すように、第１のピンチローラアーム制御軸１３ｈａが第１のピンチローラアーム１６ａの制御部１６ａｂを押し、第１のピンチローラ１７ａを第１のキャプスタン１ａに押しつけるとともに、制御ロッド１３ｈの前記移動によって中継レバー１３ｉ，プレイレバー９を介してプレイギア６ｅをアイドルギア６ｆに噛合させ、正転リール駆動ギア６ｇ，正転リールギア６ｈを介して正転リール７ａを正転させ、正転再生を行う。この時、ヘッドアーム制御軸１３ｈｄでヘッドアーム２０の制御部２０ｂを押し（図１９参照）、磁気ヘッド２１を取り付けたヘッドアーム２０をばね２２の付勢力に抗して磁気テープＴ側に押し出す。
【００３２】
〔反転再生時（図１２，１５，２０参照）〕
上記正転再生状態でソレノイド１３ｄに通電して永久磁石による吸着片１３ｄａの吸着を解除することによりカムギア１３ｃを第３の中継ギア１３ｂに噛合させた後、正転再生時から更にモータ３を正転方向に回転させ、第３の中継ギア１３ｂの小径ギア１３ｂｂの噛合位置に、カムギア１３ｃの第２の欠歯部１３ｃｂを停止させた状態が図１２，１５に示す反転再生状態である。この反転再生位置では、前記第１のカム１３ｃｄの作用によって切り換えレバー１３ｇを介して制御ロッド１３ｈが第１のキャプスタン１ａ側の位置から停止時の中立位置を介して第２のキャプスタン１ｂ側に移動して、図２０に示すように、第２のピンチローラアーム制御軸１３ｈｂが第２のピンチローラアーム１６ｂの制御部１６ｂｂを押し、第２のピンチローラ１７ｂを第２のキャプスタン１ｂに押しつけるとともに、制御ロッド１３ｈの前記移動によって中継レバー１３ｉ，プレイレバー９を介してプレイギア６ｅを反転リール駆動ギア６ｉに噛合させ、反転リールギア６ｊを介して反転リール７ｂを反転させ、反転再生を行う。この時、ヘッドアーム制御軸１３ｈｄでヘッドアーム２０の制御部２０ｂを押し（図２０参照）、磁気ヘッド２１を取り付けたヘッドアーム２０をばね２２の付勢力に抗して磁気テープＴ側に押し出す。
【００３３】
なお、この反転再生状態で、ソレノイド１３ｄに通電して吸着片１３ｄａの吸着を解除すると、ソレノイドアーム１３ｅの先端の軸部１３ｅａが第２のカム１３ｃｅに作用することによりカムギア１３ｃが時計回り方向にわずかに回転し、小径ギア１３ｂｂと噛合し、モータ３の正転方向の回転により当該小径ギア１３ｂｂによりカムギア１３ｃは回転して、第３の欠歯部１３ｃｃが小径ギア１３ｂｂに対向する位置（すなわち図４の停止状態）で停止する。この停止状態で、第２の制御レバー１１が第４のカム１３ｃｇにより反時計方向に回動して第１の早送りギア６ｋａがメインギア６ｂと噛合する状態となっても、早送りレバー１０は凹溝１０ｃが第１の制御レバー２３の軸部２３ｂが嵌合されているため、第２の早送りギア６ｋｂが反転リール駆動ギア６ｉに噛合することなく、従って磁気テープＴの独走を阻止することができる構成となっている。
【００３４】
以上、本実施例のテープレコーダのギア機構６及びモード切り換え機構１３の構成とその動作について詳細に説明したが、これらの駆動力はその全てがモータ３の回転力を第１のベルト４ａより第２のフライホイール２ｂの大径ギア２ｂａを介して駆動される中継ギアプーリ５の大径ギア５ａ−第１の中継ギア６ａ−メインギア６ｂを中継して伝達されるものである。このように、第１のキャプスタン１ａを同軸に取り付けた第１のフライホイール２ａ以外の駆動系の駆動力を、中継ギアプーリ５から伝達することにより、第２のベルト４ｂの張力を非常に小さくすることができる。このことは、前記駆動系の駆動力を第２のフライホイール２ｂと同軸の大径ギア２ｂａから直接伝達する構成としても同様である。
【００３５】
【発明の効果】
以上説明したように、本発明のテープレコーダは、正転再生又は反転再生が可能なように第１，第２のキャプスタン及び第１，第２のフライホイールを備えたテープレコーダであって、磁気テープ巻き取り用の第１のリール，第２のリールと同軸にそれぞれ設けられたリールギアを回転させるべく設けられたギア機構と、前記ギア機構にモータの回転を伝えると共に前記第２のキャプスタン及び第２のフライホイールと同軸に設けられたギアと噛合する中継ギアプーリと、モータの回転を前記第２のフライホイール及び前記中継ギアプーリに伝達する第１のベルトと、前記第２のフライホイール及び中継ギアプーリの回転を第１のキャプスタンと同軸の第１のフライホイールに伝達する第２のベルトとを備え、前記モータの正転又は反転の回転を、前記第１のベルトと中継ギアプーリ及びギア機構を介して第１のリール又は第２のリールに伝達し、正・反転再生及び正・反転高速回転に対応して、前記第１のリール又は第２のリールを回転させるように構成したものであり、モータの正逆回転による早送り時や巻き戻し時にも、モータの回転を第１のベルトのみを介し、更に中継ギアプーリ及びギア機構を介してリールを駆動するので、ベルトの張り側と緩み側の長さが同じとなり、必要最低限の張力に設定し、ベルトの回転負荷が小さくなって回転伝達効率が良くなり、テープレコーダの省電力化が可能となる非常に有利な効果が得られるものである。
【図面の簡単な説明】
【図１】本発明の一実施例におけるテープレコーダの要部の外観を示す平面図
【図２】同テープカセットの背面から見た状態を示す磁気ヘッド部の正面図
【図３】同裏面図
【図４】同早送りレバーを規制した停止時の状態を示す略平面図
【図５】同停止状態からモータを反転させて第１の制御レバーによる早送りレバーの規制を解除する動作状態を示す略平面図
【図６】同解除する瞬間の状態を示す略平面図
【図７】同解除後の状態を示す略平面図
【図８】同巻き戻し時の状態を示す略平面図
【図９】同早送り時の状態を示す略平面図
【図１０】同停止時又は巻き戻し時の状態から正転再生時への移行時の状態を示す略平面図
【図１１】同正転再生時の状態を示す略平面図
【図１２】同反転再生時の状態を示す略平面図
【図１３】主としてギア等の回転部品の状態を示すもので、早送りレバーの規制を解除後の停止状態を示す略平面図
【図１４】同正転再生時の状態を示す略平面図
【図１５】反転再生時の状態を示す略平面図
【図１６】同早送り時の状態を示す略平面図
【図１７】同巻き戻し時の状態を示す略平面図
【図１８】（ａ）は主としてピンチローラ，磁気ヘッド等の動作状態を示すもので、早送り時，巻き戻し時，停止時の状態を示す略平面図
（ｂ）は（ａ）図の制御ロッド，ピンチローラアーム制御軸等の動作状態を示す部分平面図
【図１９】（ａ）は同正転再生時の状態を示す略平面図
（ｂ）は（ａ）図の部分平面図
【図２０】（ａ）は同反転再生時の状態を示す略平面図
（ｂ）は（ａ）図の部分平面図
【図２１】従来のテープレコーダにおける要部の外観を示す背面図
【符号の説明】
１ａ  第１のキャプスタン
１ｂ  第２のキャプスタン
２ａ  第１のフライホイール
２ｂ  第２のフライホイール
２ｂａ  大径ギア
３  モータ
４ａ  第１のベルト
４ｂ  第２のベルト
５  中継ギアプーリ
５ａ  大径ギア
６  ギア機構
６ａ  プレイギア
７ａ，７ｂ  リール
９  プレイレバー
１０  早送りレバー
１３  モード切り換え機構
Ｔ  磁気テープ
【図１】
0003613126.tif 000002
【図２】
0003613126.tif 000003
【図３】
0003613126.tif 000004
【図４】
0003613126.tif 000005
【図５】
0003613126.tif 000006
【図６】
0003613126.tif 000007
【図７】
0003613126.tif 000008
【図８】
0003613126.tif 000009
【図９】
0003613126.tif 000010
【図１０】
0003613126.tif 000011
【図１１】
0003613126.tif 000012
【図１２】
0003613126.tif 000013
【図１３】
0003613126.tif 000014
【図１４】
0003613126.tif 000015
【図１５】
0003613126.tif 000016
【図１６】
0003613126.tif 000017
【図１７】
0003613126.tif 000018
【図１８】
0003613126.tif 000019
【図１９】
0003613126.tif 000020
【図２０】
0003613126.tif 000021
【図２１】
0003613126.tif 000022